(57)【特許請求の範囲】
【請求項１】
建物における掃き出し窓（４）において、該掃き出し窓（４）の把手（１０）を回動可能に構成し、該掃き出し窓（４）の框（４ｂ）内に収納可能な構造とし、該把手（１０）はアーム（１２Ｔ・１２Ｂ）、柄（１３）、収納スイッチ（１４）から構成し、掃き出し窓（４Ｌ・４Ｒ）の引き違う面（４ｃ・４ｃ）の框（４ｂ）に把手（１０）の収納スペース（４２）を形成し、該収納スペース（４２）内の上下面の内側部に、前記アーム（１２Ｔ・１２Ｂ）の他側部を留ボルト（１９・１９）により軸支し、前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（４２）の開口（４２ｂ）側へ向くように、留ボルト（１９）を締結し、前記アーム（１２）の長手方向中間位置には収納スイッチ（１４）を配設し、該収納スイッチ（１４）の一側部の端面（１４ａ）を、該留ボルト（１９）の平坦面（１９ａ）と係合し、他端部を枢支ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成したことを特徴とする窓の把手。
【請求項２】
請求項１記載の窓の把手において、前記掃き出し窓（４）の一方の窓（４Ｒ）の框（４ｂ）において、前記把手（１０）が当接する高さ位置にラバー（５５）を配設し、該框（４ｂ）の表面を被装し、該ラバー（５５）により框（４ｂ）と把手（１０）との衝突を緩和すると共に、手が框（４ｂ）と把手（１０）との間に挟まった時の衝撃を和らげ、一方の窓（４Ｒ）を全開すると、該ラバー（５５）が他方の窓（４Ｌ）の把手（１０）の収納スイッチ（１４）に当接し、該収納スイッチ（１４）は反時計回りに回動して留ボルト（１９）との係合が外れ、把手（１０）が回動可能となり、該把手（１０）が框（４ｂ）に押されて収納方向に回動し、収納スペース（４２）に収納されるように構成したことを特徴とする窓の把手。
【発明の詳細な説明】
【０００１】
【発明の属する技術分野】
本発明は、高齢者向けの建物等における窓の把手の技術に関する。
【０００２】
【従来の技術】
窓は通常、可動部分の本体と、それを納める窓枠とから成り立つ。建物の場合、壁に取り付けられる窓がもっとも多い。建物の主要な窓は、光、空気等の出入りに対して開閉する窓や、テラス等に設けて人の出入りに対しても開閉する掃き出し窓等に大別される。
【０００３】
高齢者に対応する建物におけて、前記掃き出し窓では、該窓を開放したときに、車椅子等でも通行可能なようにその開口の有効幅員は７５０ｍｍ以上として建築基準が定められている。ところで、該建築基準を解消するためには、単純に玄関出入口の全幅を大きくとればよいのであるが、建物もまた規格に沿って量産されたコンクリートパネル等を工程手順にしたがって接合し、建て込んでいくことにより構成されているため、建物設計上及び躯体システム上の問題が生じ、すなわち、該コンクリートパネル等をそのまま使用したのでは前記建築基準を確保することができない場合が多いのである。また、引き違いに構成された掃き出し窓においては、どちらか一側方に全開したとき、その開口が前記玄関出入口の建築基準を満たしていればよく、框と把手とが互いに交錯する面においては、該把手の替わりに彫込引手を採用して設計対応しているものも多い。このように彫込引手を採用することにより、両窓とも窓枠に当たるまで全開することができ、該建築基準を確保することができるのであった。
【０００４】
【発明が解決しようとする課題】
しかしながら、前記従来の技術においては、玄関出入口の全幅を大きくとるために別途コンクリートパネル等を発注すると高くつきコスト面で不利であり、また、量産されたコンクリートパネル等で建て込んでいくと、前述の如く、把手が出入口内外側に突出しているため、該把手が他方の窓の框に当接するまでしか開放することができず、この状態では前記建築基準を解消できない。また、窓に彫込引手を採用すると、高齢者にとっては、手の懸かり代が少ないため、開閉時には力が入らないこともあり、また、車椅子に乗ったままでは、不安定な姿勢を強いられ、把手に比べてかなり不便さが残るのであった。
【０００５】
本発明は、前記の点を鑑み、コンクリートパネル等の躯体要素のサイズを変更することなく、その開閉操作部分には把手を採用し、且つ、前記建築基準を満たす窓を提供することを課題とする。
【０００６】
【課題を解決するための手段】
以上が本発明の解決する課題であり、次に課題を解決するための手段を説明する。
【０００７】
請求項１においては、建物における掃き出し窓（４）において、該掃き出し窓（４）の把手（１０）を回動可能に構成し、該掃き出し窓（４）の框（４ｂ）内に収納可能な構造とし、該把手（１０）はアーム（１２Ｔ・１２Ｂ）、柄（１３）、収納スイッチ（１４）から構成し、掃き出し窓（４Ｌ・４Ｒ）の引き違う面（４ｃ・４ｃ）の框（４ｂ）に把手（１０）の収納スペース（４２）を形成し、該収納スペース（４２）内の上下面の内側部に、前記アーム（１２Ｔ・１２Ｂ）の他側部を留ボルト（１９・１９）により軸支し、
前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（４２）の開口（４２ｂ）側へ向くように、留ボルト（１９）を締結し、前記アーム（１２）の長手方向中間位置には収納スイッチ（１４）を配設し、該収納スイッチ（１４）の一側部の端面（１４ａ）を該留ボルト（１９）の平坦面（１９ａ）と係合し、他端部を枢支ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成したものである。
【０００８】
請求項２においては、請求項１記載の窓の把手において、前記掃き出し窓（４）の一方の窓（４Ｒ）の框（４ｂ）において、前記把手（１０）が当接する高さ位置にラバー（５５）を配設し、該框（４ｂ）の表面を被装し、該ラバー（５５）により框（４ｂ）と把手（１０）との衝突を緩和すると共に、手が框（４ｂ）と把手（１０）との間に挟まった時の衝撃を和らげ、一方の窓（４Ｒ）を全開すると、該ラバー（５５）が他方の窓（４Ｌ）の把手（１０）の収納スイッチ（１４）に当接し、該収納スイッチ（１４）は反時計回りに回動して留ボルト（１９）との係合が外れ、把手（１０）が回動可能となり、該把手（１０）が框（４ｂ）に押されて収納方向に回動し、収納スペース（４２）に収納されるように構成したものである。
【０００９】
【発明の実施の形態】
本発明の解決すべき課題および構成は以上の如くであり、次に添付の図面に示した本発明の実施例を説明する。図１は高齢者対応の建物の斜視図、図２は掃き出し窓の正面図、図３は本発明に係る把手の斜視図、図４は本発明に係る把手を取り付けた掃き出し窓の平面断面図、図５は本発明に係る把手の構造を示す平面断面図、図６は同じく側面断面図、図７は本発明に係る把手を取り付けた掃き出し窓の閉じた状態での構成を示す模式図、図８は同じく全開した状態での構成を示す模式図である。
【００１０】
図１に示すように、建物１のテラス等への出入口には掃き出し窓４を取り付け、空気の入れ替えのために開閉するとともに、人の出入りに対しても開閉する。また、該掃き出し窓４を配設した出入口の上方には屋根（または庇）５を配設し、該屋根（または庇）５は該テラスを雨、雪等の悪天候や日ざしから守っている。
【００１１】
ここで、掃き出し窓４の構造について少し説明すると、木製、鋼製、アルミ製の３種に大別できる。木製のものは、さらに、和風と洋風に分かれ、木桟と木板等で構成される。現代では木板の代りに板ガラス、合板を用いたものも多い。鋼製のものは、スチールサッシュとも呼ばれ、鋼板またはロール成形のスチールサッシュバー、鋼板、ガラス等で構成される。アングル戸、防火戸、鋼製ガラス戸等がある。アルミ製のものと比較すれば、さび、加工精度等の点において劣るが、防火性において勝る特質をもっている。アルミ製のものは、アルミサッシュとも呼ばれ、押出成形のアルミサッシュバー、アルミ板、ガラス等で構成される。現在、ガラス戸として、住宅、ビル建築等にもっとも多用されている。維持管理が楽で、加工精度が高く気密性に優れているが、鋼製のものと比較すれば耐火性に劣る欠点をもっている。以上のほか、ステンレス製、ブロンズ製もあり、ガラスまたはプラスチックのみを用いたガラスドア、アクリルドア等もある。
【００１２】
高齢者に対応した建物１において、その出入口に係る建築基準は、図８に示すように、窓４Ｒ（または４Ｌ）を全開したとき、車椅子等でも通行しやすいように該出入口の有効幅員Ｌ１は７５０ｍｍ以上を確保するものとする。
【００１３】
そして、図２に示すように、窓４Ｌ・４Ｒの室内外側共には、その框４ｂ・４ｂに彫込引手を設けたり、あるいは、図３に示すような把手１０を設ける等して、その開閉操作を行なうのである。
【００１４】
次に本発明に係る把手１０について説明する。図３に示すように、高齢者に対応するために把手１０についても握り易さの規定があり、大型で飛び出した形状を要求されている。すなわち、把手１０の径Ｄは２０〜４０ｍｍ程度のものとし、円・楕円等丸みを帯びた握り易い形状とし、該把手１０と框４ｂとの空き寸法Ｌ２は３０ｍｍ以上とし、該把手の長さＬ３は１５０ｍｍ以上とする。また、図２に示すように、該把手１０の取り付け高さＨは、窓４Ｌ・４Ｒの下端から該把手１０の上下中央部まで９００±１５０ｍｍとする。
【００１５】
このように玄関及び把手１０については前述の如く建築基準があり、該基準を解消するためには、単純に玄関出入口の全幅を大きくとればよいのであるが、建物１（図１）もまた規格に沿って量産されたコンクリートパネル等を工程手順にしたがって接合し、建て込んでいくことにより構成されているため、建物設計上及び躯体システム上の問題が生じ、すなわち、該コンクリートパネル等をそのまま使用したのでは前記建築基準を確保することができない場合が多い。
【００１６】
あるいは、図８に示すような引き違いに構成された窓４Ｌ・４Ｒでは、どちらか一側方向に全開したとき、その開口の有効幅員Ｌ１が７５０ｍｍ以上を満たしていればよく、該建築基準を解消するために、框４ｂと把手１０とが互いに交錯する面において、該把手１０の替わりに彫込引手を採用して設計対応しているものも多い。
【００１７】
この場合、窓に彫込引手を採用すると、高齢者にとっては、手の懸かり代が少ないため、開閉時には力が入らないこともあり、また、車椅子に乗ったままでは、不安定な姿勢を強いられ、把手に比べてかなり不便さが残るのであった。
【００１８】
本発明では前記の点を鑑み、図４、図７乃び図８に示すように、両窓４Ｌ・４Ｒ同士が引き違う面４ｃ・４ｃには可動式の把手１０・１０を取り付け、該把手１０を回動して窓４Ｌ・４Ｒ内に収納できる構造とする。こうして、窓４Ｒ（または４Ｌ）を全開するとともに該把手１０を収納し、その有効幅員Ｌ１を建築基準である７５０ｍｍ以上として確保するものとする。また、両窓４Ｌ・４Ｒが引き違う面４ｃ・４ｃと反対側の面４ｄ・４ｄでは、従来型の固定式の把手１１・１１のままとして取り付けるものとする。以下、本発明に係る前記可動式把手１０の機構について説明する。
【００１９】
図３及び図５に示すように、把手１０はアーム１２Ｔ・１２Ｂ、柄１３、収納スイッチ１４、回転ローラ１５・１５等から構成され、柄１３の上下端にアーム１２Ｔ・１２Ｂの一側部、回転ローラ１５・１５の順に取り付け、外観視、「コ」字状に形成する。
該アーム１２Ｔ・１２Ｂは柄１３に固設され、該回転ローラ１５・１５は留ボルト１８・１８により回転自在に枢支された構成とする。
【００２０】
また、窓４Ｌ・４Ｒ同士が引き違う面４ｃ・４ｃ（図７）においては、窓４Ｌの框４ｂを彫り込んで把手１０の収納スペース４２を形成する。そして、該収納スペース４２内の上下面であって、その内側部で前記アーム１２Ｔ・１２Ｂの他側部を留ボルト１９・１９により軸支する。
【００２１】
このとき、図５で示すように、前記アーム１２Ｔ・１２Ｂは留ボルト１９・１９の胴回りに巻回されたバネ１７・１７により絶えず反時計方向に付勢され、該アーム１２Ｔ・１２Ｂが収納スペース４２の内側枠４２ａに当接して位置固定され、すなわち、把手１０は通常は起き上がった状態で窓４Ｌ・４Ｒ同士が引き違う面４ｃより突出した構成である。
【００２２】
さらには、前記留ボルト１９・１９の胴部分において、平面視、半月状になるようにしてカットして平坦面１９ａ・１９ａを形成し、該平坦面１９ａ・１９ａが収納スペース４２の開口４２ｂ側へ向くようにして留ボルト１９・１９を締結する。また、両アーム１２Ｔ・１２Ｂの長手方向中間位置には収納スイッチ１４・１４を配設し、該収納スイッチ１４・１４の一側部の端面１４ａ・１４ａを該留ボルト１９・１９の平坦面１９ａ・１９ａと係合させ、他側部を枢支ボルト２０・２０により枢支して構成する。このとき、収納スイッチ１４・１４は枢支ボルト２０・２０の胴回りに巻回されたバネ１６・１６により絶えず時計方向に付勢され、該収納スイッチ１４・１４の端面１４ａ・１４ａが留ボルト１９・１９の平坦面１９ａ・１９ａに当接し、把手１０は強固に位置固定されるのである。
【００２３】
また、図３に示すように、柄１３の上下中間位置には安全スイッチ５１を設け、該安全スイッチ５１を柄１３諸共握ることにより、前記収納スイッチ１４・１４の操作を防ぐ安全装置５０を付設する。
【００２４】
図６に示すように、前記安全装置５０は、安全スイッチ５１、リンク５２等により構成されている。該リンク５２は「コ」字状に形成され、該安全スイッチ５１の凸部５１ａ先端と該リンク５２の上下中間位置とを連結する。
【００２５】
また、図５及び図６に示すように、安全スイッチ５１はバネ５３により柄１３における半径方向外方向に付勢され、柄１３を握り、該安全スイッチ５１が押されると、リンク５２は半径方向内方向に摺動する。そして、該リンク５２の上下辺５２ａ・５２ａであって、その摺動方向における先端面５２ｂ・５２ｂが前記収納スイッチ１４・１４の枢支ボルト２０・２０側の側端面１４ｂ・１４ｂに当接し、該収納スイッチ１４・１４の回動を規制するのである。
【００２６】
そして、もう一方の窓４Ｒの框４ｂにおいて、前記把手１０が当接する高さ位置にラバー５５を配設して該框４ｂの表面を被装する。該ラバー５５により、框４ｂと把手１０との衝突を緩和するとともに、また、手が框４ｂと把手１０との間に挟まったとき、その衝撃を和らげるように安全面が考慮された構成となっている。
【００２７】
また、図４に示すように、同様にして、窓４Ｒにも可動式の把手１０を配設し、窓４Ｌにラバー５５を取り付ける。
【００２８】
このように構成することにより、一方の窓４Ｒを全開すると、図５に示すように、該窓４Ｒの框４ｂを被装するラバー５５部分が他方の窓４Ｌの把手１０の収納スイッチ１４に当たり、該収納スイッチ１４は反時計回りに回動して留ボルト１９との係合が外れるのである。こうして収納スイッチ１４が押されると把手１０は回動可能となり、該把手１０はさらに窓４Ｒの框４ｂに押されて時計回りに回動し、また、回転ローラ１５・１５で該窓４Ｒの摺動移動を案内しながら収納スペース４２に収まるのである。
【００２９】
図８に示すように、こうして窓４Ｌ・４Ｒは戸枠４９に当たるまで全開することができ、前記玄関出入口の有効幅員Ｌ１を７５０ｍｍ以上として確保することができるのである。
【００３０】
尚、窓４Ｌ・４Ｒは前記実施例のような引き違いに構成したものに限定することなく、片引戸、引込戸等、その構造は特に限定するものではない。
【００３１】
【発明の効果】
本発明は以上のように構成したもので、次のような効果を奏するものである。
請求項１の如く、建物における掃き出し窓（４）において、該掃き出し窓（４）の把手（１０）を回動可能に構成し、該掃き出し窓（４）の框（４ｂ）内に収納可能な構造とし、該把手（１０）はアーム（１２Ｔ・１２Ｂ）、柄（１３）、収納スイッチ（１４）から構成し、掃き出し窓（４Ｌ・４Ｒ）の引き違う面（４ｃ・４ｃ）の框（４ｂ）に把手（１０）の収納スペース（４２）を形成し、該収納スペース（４２）内の上下面の内側部に、前記アーム（１２Ｔ・１２Ｂ）の他側部を留ボルト（１９・１９）により軸支し、前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（４２）の開口（４２ｂ）側へ向くように、留ボルト（１９）を締結し、前記アーム（１２）の長手方向中間位置には収納スイッチ（１４）を配設し、該収納スイッチ（１４）の一側部の端面（１４ａ）を該留ボルト（１９）の平坦面（１９ａ）と係合し、他端部を枢支ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成したので、把手は通常は起き上がった状態で引戸同士が引き違う面より突出し、この状態では該把手は固定されているので、オペレータは難なく窓を開閉でき、操作する上でも扱い易いのである。
【００３２】
また、請求項２のように、請求項１記載の窓の把手において、前記掃き出し窓（４）の一方の窓（４Ｒ）の框（４ｂ）において、前記把手（１０）が当接する高さ位置にラバー（５５）を配設し、該框（４ｂ）の表面を被装し、該ラバー（５５）により框（４ｂ）と把手（１０）との衝突を緩和すると共に、手が框（４ｂ）と把手（１０）との間に挟まった時の衝撃を和らげ、一方の窓（４Ｒ）を全開すると、該ラバー（５５）が他方の窓（４Ｌ）の把手（１０）の収納スイッチ（１４）に当接し、該収納スイッチ（１４）は反時計回りに回動して留ボルト（１９）との係合が外れ、把手（１０）が回動可能となり、該把手（１０）が框（４ｂ）に押されて収納方向に回動し、収納スペース（４２）に収納されるように構成したので、一方の窓を摺動させ、該窓の框がもう一方の窓の把手の前記機構に当接すると、把手の回動規制が解除され、回動可能な状態となり、そのまま摺動させている窓をさらに開放すれば、該把手はその収納スペース内に収納されるのである。
例えば、引き違いに構成された窓であれば、窓を押し引きするだけで、摺動させている窓の框がもう一方の窓の把手に当たり、該把手は収納されて、摺動させている窓は窓枠に当たるまで開放（全開）することができ、この状態では、出入口に関する建築基準（有効幅員を７５０ｍｍ以上）を確保することができるのである。
【図面の簡単な説明】
【図１】  高齢者対応の建物の斜視図。
【図２】  掃き出し窓の正面図。
【図３】  本発明に係る把手の斜視図。
【図４】  本発明に係る把手を取り付けた掃き出し窓の平面断面図。
【図５】  本発明に係る把手の構造を示す平面断面図。
【図６】  同じく側面断面図。
【図７】  本発明に係る把手を取り付けた掃き出し窓の閉じた状態での構成を示す模式図。
【図８】  同じく全開した状態での構成を示す模式図。
【符号の説明】
４  掃き出し窓
４Ｌ・４Ｒ  窓
４ｂ  框
１０  把手
１３  柄
１４  収納スイッチ
４２  収納スペース
５０  安全装置
５１  安全スイッチ
【図１】
0004049502.tif 000002
【図２】
0004049502.tif 000003
【図３】
0004049502.tif 000004
【図４】
0004049502.tif 000005
【図５】
0004049502.tif 000006
【図６】
0004049502.tif 000007
【図７】
0004049502.tif 000008
【図８】
0004049502.tif 000009